(57)【特許請求の範囲】
【請求項１】
記録媒体に関連付けられたテキストを入力する方法であって、
前記記録媒体の再生中に、データ入力装置の起動を検知するステップと、
前記記録媒体の再生を続けながら、前記検知に応答して自動的にデータ入力モードに入るステップとを含み、
前記記録媒体からの出力の少なくとも一部がビデオ画面に出現し、
前記データ入力モードに入るステップは、前記記録媒体からの出力を表示するビデオ画面上にデータ入力の表示を生成するステップを含み、
前記データ入力装置は、キーボードであり、
前記検知するステップは前記表示を生成するステップを開始するための第一文字を検知するステップを含み、
前記データ入力モードに入るステップは前記第一文字から始まる前記キーボードから入力された文字列を表示しおよび保存するステップを含み、
さらに、前記記録媒体に関連付けられた情報を保存するステップを備え、
前記データ入力モードに入るステップは、前記第一文字が検知された際に前記記録媒体に関連付けられた情報が以前に保存されていない場合にのみ実行されることを特徴とする方法。
【請求項２】
請求項１において、
前記記録媒体は、デジタル多用途ディスク（ＤＶＤ）であって、前記データ入力モードに入るステップは前記デジタル多用途ディスクのタイトルを入力するステップを含むことを特徴とする方法。
【請求項３】
請求項２において、
前記生成するステップは、オンスクリーン表示機能を用いるデジタル多用途ディスクプレイヤーにより実行されることを特徴とする方法。
【請求項４】
請求項３において、
前記保存するステップは、前記デジタル多用途ディスクプレイヤーからアクセス可能であって且つ少なくともデジタル多用途ディスクの識別子とタイトルを含むデータベースを利用し、
前記第一文字を検知した際に、再生中の前記デジタル多用途ディスクが前記データベース内に対応する識別子を有するか否かを判定するステップをさらに含むことを特徴とする方法。
【請求項５】
記録媒体再生およびデータ入力装置であって、
前記記録媒体を出力してオンスクリーンテキスト表示を生成する出力部と、
データ入力部と、
前記出力部及び前記データ入力部に接続され、前記記録媒体の再生中に、前記データ入力部を利用したデータの入力を検知した際に、自動的に前記オンスクリーンテキスト表示を起動してデータ入力モードに入る制御部とを備え、
前記装置はビデオ画面に接続され、
前記出力部は、前記記録媒体に保存されたビデオ信号に基づいて前記ビデオ画面上にビデオ出力を生成し、前記ビデオ出力を前記オンスクリーンテキスト表示に重ね合わせ、
前記制御部は、前記データ入力モードで前記記録媒体の再生を続け、
前記装置はキーボードに接続され、
前記データ入力部は前記キーボードからデータを受け取り、前記制御部は、前記キーボードからの第一文字の入力を検知し、それに応答して前記出力部に、前記第一文字から始まる前記キーボードを用いて入力された文字列のオンスクリーンテキスト表示を生成させ、
前記制御部に接続され且つ前記キーボードから入力された前記文字列を前記記録媒体に関係する情報として保存する保存部をさらに備え、
前記制御部は、前記第一文字の入力が検知された際に、前記保存部に保存されている前記記録媒体に関係する情報が存在しない場合にのみ前記オンスクリーンテキスト表示を起動することを特徴とする装置。
【請求項６】
請求項５において、
前記記録媒体は、デジタル多用途ディスクであって、
前記保存部はデジタル多用途ディスクのタイトルおよび識別子をデータベースに保存することを特徴とする装置。
【請求項７】
記録媒体再生およびデータ入力装置であって、
前記記録媒体の再生中に、前記データ入力装置の起動を検知する検知手段と、
前記記録媒体の再生を続けながら、前記検知ステップに応答して自動的にデータ入力モードに入る制御手段とを備え、
前記装置はビデオ画面に接続され、
前記記録媒体に保存されたビデオ信号に基づいて前記ビデオ画面上にビデオ出力を生成し、前記ビデオ出力をオンスクリーンテキスト表示に重ね合わせるための出力手段をさらに備え、
前記制御手段は、前記データ入力モードで前記記録媒体の再生を続けるために前記出力手段を制御する手段を含み、
前記装置はキーボードに接続され、
前記キーボードからデータを受け取るデータ入力手段と、
前記キーボードから入力された文字列を前記記録媒体に関係する情報として保存する保存手段とをさらに備え、
前記検知手段は、前記キーボードからの第一文字の入力を検知する手段を含み、前記制御手段は、前記第一文字の検出に応答して前記出力手段に、前記第一文字から始まる前記キーボードを用いて入力された文字列のオンスクリーンテキスト表示を生成させる手段を含み、
前記制御手段は、前記第一文字の入力が検知された際に前記保存手段に保存されている前記記録媒体に関係する情報が存在しない場合にのみ前記オンスクリーンテキスト表示を起動する手段を含むことを特徴とする装置。
【請求項８】
請求項７において、
前記記録媒体は、デジタル多用途ディスクであって、前記保存手段はデジタル多用途ディスクのタイトルおよび識別子をデータベースに保存することを特徴とする装置。
【請求項９】
コンピュータ可読な媒体に記録された少なくとも１つのプログラムであって、
記録媒体の再生中にデータ入力装置の起動を検知するステップと、
前記記録媒体の再生を続けながら、前記検知ステップに応答して自動的にデータ入力モードに入るステップとを含む方法をコンピュータを制御して実行させ、
前記記録媒体からの出力の少なくとも一部がビデオ画面に出現し、
前記データ入力モードに入るステップは、前記記録媒体からの前記出力を表示している前記ビデオ画面上にデータ入力の表示を生成するステップを含み、
前記データ入力装置はキーボードであり、
前記検知するステップは、前記表示を生成するステップを開始するための第一文字を検知するステップを含み、
前記データ入力モードに入るステップは、前記第一文字から始まる前記キーボードからの文字入力を表示しおよび保存するステップを含み、
前記方法は、前記記録媒体に関連付けられた情報を保存するステップをさらに含み、
前記データ入力モードに入るステップは、前記第一文字が検知された際に前記記録媒体に関連付けられた情報が以前に保存されていない場合にのみ実行されることを特徴とするプログラム。
【請求項１０】
請求項９において、
前記記録媒体は、デジタル多用途ディスクであって、
前記データ入力モードに入るステップは、前記デジタル多用途ディスクのタイトルを入力するステップを含むことを特徴とするプログラム。
【請求項１１】
請求項１０において、
前記生成するステップは、オンスクリーン表示機能を用いるデジタル多用途ディスク再生装置により実行されることを特徴とするプログラム。
【請求項１２】
請求項１１において、
前記保存するステップは、前記デジタル多用途ディスク再生装置からアクセス可能であって且つデジタル多用途ディスクの識別子とタイトルとを少なくとも含むデータベースを利用し、
前記方法は、前記第一文字を検知した際に、再生中の前記デジタル多用途ディスクが前記データベース内に対応する識別子を有するか否かを判定するステップをさらに含むことを特徴とするプログラム。
【発明の詳細な説明】
【０００１】
【発明の属する技術分野】
本発明は一般消費者向け電子機器を利用したテキスト入力方法に関し、より詳細には、一般消費者向け電子機器で再生するためにアクセス可能な記録媒体に関係する情報の入力方法に関する。
【０００２】
【従来の技術】
コンパクトディスク（ＣＤ）やデジタル多用途ディスク（ＤＶＤ）を再生するディスクチェンジャーの利用は近年際立って増加しているが、ユーザーがチェンジャー内のディスクを識別したり、ディスクに関する情報を得るのは依然として困難である。今日利用可能な各種のディスクチェンジャー、特に５０枚以上のディスクを保持できる機種は、チェンジャーに格納されたディスクのデータベースを保有している。しかし、ディスクのタイトル等のテキスト情報を入力するために用いられる入力装置はディスクチェンジャーの前面パネル上、または携帯型リモコン上にあってもよい。ある種の装置はデータ入力用の別の英数字キーボードを備えているが、入力モードはディスクの再生とは全く別である。これはビデオゲームにおける英数字の入力、例えばゲームを保存する場合に類似している。すなわち、テキストを入力している間はすべての動作が停止する。
【０００３】
ビデオデータの再生を中断してデータ入力を許可するシステムの例が米国特許第５，７１６，４６８号（Ｂａｒｙｌａ）に開示されており、ディスクに録音済みのビデオではなくパーソナル・コンピュータ上に表示されるデジタルビデオ用途向けである。ビデオが中断されている間に入力されたテキストは、ビデオ配信の前に評者によるコメントを提供し、シーンの選択や編集をしやすくするために利用される。しかし、同４６８号特許には最初にタイトルをどのようにしてビデオに関連付けるかについて記述されていない。タイトルの入力について最初に触れているのは再生したいビデオの選択との関連においてである。
【０００４】
ＤＶＤおよびＣＤに関するテキストデータの入力における問題の一つは、テキストデータをディスクに関連付けることである。通常これを行なうには最初にチェンジャー内の位置を識別するスロット識別子を入力し、続いてスロットに関連付けられたテキストを入力する。このため、ユーザーはテキストデータを入力しようとしている各スロットに何のディスクが入っているかを知る必要がある。多くの場合この時点ではチェンジャーの各スロットに何が入っているかをユーザーは知らない。このため、何のディスクであるかを確認するためにディスクをチェンジャーから取り出す必要がある。これは、ユーザーがディスクを取り出したかまたは挿入したかをチェンジャーが見ているため、チェンジャーの識別について問題が生じることが多い。単にディスクを識別するために取り出しただけでも、再び挿入した途端にチェンジャーがディスクに何かをしようとするような連鎖反応をしばしば引き起こす。ユーザーはまた、ほとんどの場合ディスクをチェンジャー内の同じスロットに正しく戻すように注意しなければならない。そうしないと、ディスクはユーザーが思っているのとは違うスロットに入っているため、正しくない情報が表示されてしまう。
【０００５】
【発明が解決しようとする課題】
本発明の一態様は、ＤＶＤやＣＤ等の記録媒体に関係するテキストデータの入力プロセスを簡素化することにある。
【０００６】
本発明の別の態様は、ＤＶＤおよびＣＤに保存されている記録物を再生している間に、それらのタイトルを入力するためのテキスト入力機能を提供することにある。
【０００７】
本発明のさらに別の態様は、ＤＶＤのタイトルとして使うためにユーザーが入力したテキストデータを表示するための、ＤＶＤプレーヤーのオンスクリーン表示（ＯＳＤ）機能にある。
【０００８】
【課題を解決するための手段】
上述の態様は、記録媒体に関連付けられたテキストを入力する方法により得られ、その方法は記録媒体を再生している間にデータ入力装置の起動を検知し、記録媒体の再生を続けながら、データ入力装置の起動に応答して自動的にデータ入力モードに入る(enter)ことを含む。記録媒体がビデオ表示を生成する場合、ユーザーが入力したデータは例えば再生装置の画面表示機能を利用してビデオと同じ画面に表示されるのが好適である。
【０００９】
好適には、データ入力モードに自動的に入るため、記録媒体のタイトルの後続文字列のデータ入力開始以外に、入力された最初の文字が取得されるが、それは記録媒体のタイトルがまだデータベースに保存されていない場合に限る。これにより、無線キーボード等の入力装置を誤って起動したことによる画面表示の起動を避ける。好適には、Ｃｔｒｌ−Ａｌｔ−シフト−Ｍ等のキーコンビネーションを用いて、格納されているディスクと関係があるタイトルおよびその他のあらゆる情報が編集可能な“マスター編集”モードに入ることができる。この技術を用いて、少なくともＤＶＤ識別子およびタイトルを含むデータベースを用いてディスクを識別することができ、それによりユーザーがチェンジャー内のディスクをタイトルから選ぶことができる。
【００１０】
上述の事項は以下で明らかにされるその他の態様や利点と合わせて、後述の詳細な説明が示す構成と動作の細部に含まれる。本明細書の一部をなす添付図面を参照するが、図面を通じて類似部材に類似番号が付与されている。
【００１１】
【発明の実施の形態】
本発明は、ユーザーにタイトル情報を提供する方法を含むあらゆる種類の再生装置で実装することができる。従来、記録媒体に関する情報はある種のディスプレイ上でユーザーに提示されるが、ある種の装置は音声合成や録音された音声を利用してタイトルの音声出力を提供する。以下に述べる実施の形態の例において、本発明はＤＶＤチェンジャーおよびＤＶＤ上の記録物のうちビデオ部分を表示するビデオ画面と合わせて、ユーザーが入力したテキスト情報を表示する。しかし、従来のＤＶＤ再生装置は、コンパクトディスクやビデオコンパクトディスク等、他のフォーマットによる記録媒体を再生することができる。記録媒体にビデオコンテンツが含まれているか否かにかかわらず、通常ＤＶＤ再生装置に提供されるオンスクリーン表示は記録媒体を再生している途中でも使用することができる。この固有の機能を備えていない再生装置は改造されるか、または別の装置に接続されてテキストデータの入力の表示を提供することができる。
【００１２】
好適な実施形態においてＤＶＤチェンジャー用のコントローラは、図１に示す構成要素を含む。この例では、コントローラは従来のノースブリッジ構造１０およびサウスブリッジ構造１２（それぞれ、台湾台北市のＶＩＡテクノロジー社製品ＶＴ８２Ｃ５９８ＭＶＰおよびＶＴ８２Ｃ６８６Ａ）、カリフォルニア州Ｓｕｎｎｖａｌｅのアドバンスト・マイクロ・デバイシズ社製品Ｋ６２／４００ＡＦＫ等のプロセッサ（ＣＰＵ１４）、キャッシュメモリ１６、メインメモリ（ＳＤＲＡＭ）１８、ＢＩＯＳＲＯＭ２０および無線（赤外線）キーボード２４経由で遠隔入力インタフェースを提供するＵＳＢ−ＩＲ２２等の入力／出力インタフェースを含むパーソナル・コンピュータ・アーキテクチャを用いる。パーソナル・コンピュータに一般に見られる、図１に示すような他の構成要素は、ファイヤワイヤ（ＦＩＲＥＷＩＲＥ）として知られるＩＥＥＥ−１３９４標準を利用する他のＤＶＤチェンジャー等の外部装置とのインタフェースを担う１３９４コントローラ２６およびＩＤＥバス２９によりＣＰＵ１４と接続された統合ドライブ・エレクトロニクス・インタフェース（ＩＤＥ）ハードドライブ等のハードドライブ２８を含む。ＰＣＩバス３０またはＩＳＡバス３２経由でノースブリッジ構造１０およびサウスブリッジ構造１２にも接続されているＤＶＤの再生に必要な構成要素には、カリフォルニア州ＭｉｌｐｉｔａｓのＳｉｇｍａＤｅｓｉｇｎｓ社製品であるＥＭ８２２０等のＭＰＥＧ２デコーダ３４、およびテキサス州ＡｕｓｔｉｎのＣｉｒｒｕｓＬｏｇｉｃ社製品であるＣｒｙｓｔａｌＣＳ４９２６０４−ＣＬ等の音声ＤＳＰ３６が含まれる。ビデオ出力信号は、カリフォルニア州サンタクララのＴＶＩＡ社製品であるＣｙｂｅｒＰｒｏ５００５等のビデオプロセッサ３８により生成されてビデオメモリ（ＳＤＲＡＭ等）４０を用いてビデオ入力４２における出力を生成する。
【００１３】
上述のように、従来のビデオ再生装置は、選択されたチャネルやビデオ入力、巻き戻し、再生、早送り等を指示するために用いられるオンスクリーンテキスト表示を含む場合がある。本発明は、ＣｙｂｅｒＰｒｏ５００５等、これらの従来型ビデオプロセッサの機能を利用して表示され続けるビデオ信号にかぶせてテキストを表示する。必要に応じて、従来のテキストの表示サイズをわずかに縮小してタイトル全体が画面に表示できるようにしてもよい。プロセッサ１４は、データ入力装置であるＵＳＢ−ＩＲ２２および記憶装置であるハードドライブ２８が受け取ったデータ入力に応答して、出力装置として機能するビデオプロセッサ３８により表示されるテキストを指定する制御装置として機能する。
【００１４】
ＣＰＵ１４が実行する手続きの例を図２に示す。従来の方法では、ＤＶＤ動画等の記録媒体はユーザー入力に応答して選択されて再生され始める。好適な実施の形態において、ディスク識別プロセスを用いることでユーザー入力を必要とせずにＤＶＤのタイトルを取得することができる。ＤＶＤに関する情報は読み込まれ（４６）、タイトル情報を求めて少なくとも１個のデータベースが検索される（４８）。タイトルその他の情報を含むデータベースは再生装置に予め格納されていても、あるいはローカルシリアル接続またはインターネット経由で再生装置に接続されたローカルまたは遠隔装置からアクセス可能であってもよい。用いられるディスク識別子はディスクに保存または添付された任意の情報であってよい。
【００１５】
ＣＰＵ１４が、再生装置からアクセスできるデータベースにタイトルが保存されていないＤＶＤの再生を検出した場合（５０）、ＤＶＤの再生は従来のフルスクリーンビデオモードで開始され（５２）、一方でＣＰＵ１４がキーボード入力を監視する。ＤＶＤコンテンツを再生している間、すなわちＤＶＤからビデオやメニューの再生を行なっている間に任意の文字キーの起動が検知された場合（５４）、ＣＰＵ１４はビデオプロセッサ３８が提供するオンスクリーン表示機能を用いてＤＶＤのタイトルのデータ入力モードに入る。データ入力モードを起動する文字はＤＶＤのタイトルの最初の文字として取得される。
【００１６】
ＣＰＵ１４が、例えばユーザーが“Ｅｎｔｅｒ”キーを押下したことにより、データ入力の終わりを検知した場合（５６）、入力されてオンスクリーン表示を利用して表示されたタイトルはデータベースに保存される（５８）。好適には、言語、サラウンド音声モード、およびＣＰＵ１４を用いて設定されたその他の任意のユーザ選択可能な設定などである再生設定が、データベースに保存される。その結果次にＤＶＤが再生される際にこれらの設定を自動的に利用することができる。”タイトル更新済み“を表わす確認メッセージが短時間オンスクリーン表示を用いて表示され、続いて従来型ビデオカセットレコーダーによる“再生”表示と同様にオンスクリーン表示は消える。データベース内の情報はビデオ出力４２経由でビデオ画面上の表示だけではなく、ＣＰＵ１４から情報を受け取ることができる他の任意のディスプレイ、例えばＤＶＤチェンジャーのハウジングの液晶ディスプレイ（図示せず）等でも利用できる。
【００１７】
好適な実施形態において、ビデオプロセッサ３８のオンスクリーン表示機能はまた、ＤＶＤのコンテンツが表示されている間もデータベースに保存されているデータを編集するために用いられる。好適には、Ｃｔｒｌ−Ａｌｔ−Ｓｈｉｆｔ−Ｍ等の特別なキーコンビネーションを用いてデータ編集モードに入る。ＣＰＵ１４が特別なキーコンビネーションを検知した場合（６０）、オンスクリーン表示が起動されてＤＶＤのデータベースレコードのコンテンツが表示される。タイトルは変更可能であり、スタイルや評価等、他の任意の情報も変更されてよい。好適な実施の形態において、再生設定に変更があればデータベースレコード内で自動的に更新される。オプションとして、設定を変更する際の確認を、オンスクリーン表示を用いて表示することができ、データベースのコンテンツを修正する際にはパスワードが求められる。
【００１８】
データベースの全コンテンツにアクセスするための特別なキーコンビネーション以外に、ＣＰＵ１４はスタイル（ＳＴＹＬＥ）や評価（ＲＡＴＩＮＧ）等のキーワードを監視する（６２）のが好適である。タイトルがすでに入力済みである場合、完全なキーワードが検知されるまで文字は表示されない。キーワードの検知に応答して、ＣＰＵ１４はビデオプロセッサ３８に、“スタイル名称の準備(ready for style name)”、あるいは“評価の準備(ready for rating)”等のプロンプト(prompt)を表示させる。後続の文字は、それらが入力される都度表示され、データベースがタイトルについて上に述べたように更新されたことに応答してデータ表示終了を受信した直後に保存される。
【００１９】
再生装置で本発明を実行するためのコンピュータプログラムリストが、図３乃至図５に示される。
【００２０】
本発明のさまざまな特徴と利点は詳述した明細書から明らかであり、添付された請求の範囲により、本発明の真の精神および権利範囲に含まれるあらゆる特徴や利点を包括することを意図している。さらに、当業者は各種の改良や変更を容易に思い付くであろうが、本発明はここで図示および説明した構成や動作自体に限定されるものではなく、従っていかなる適当な改良や均等物も本発明の範囲の中に含まれる。
【図面の簡単な説明】
【図１】本発明が実装される装置のブロック図である。
【図２】本発明による方法のフロー図である。
【図３】装置で本発明を実行するためのコンピュータプログラムリストの例である。
【図４】装置で本発明を実行するためのコンピュータプログラムリストの例である。
【図５】装置で本発明を実行するためのコンピュータプログラムリストの例である。
【図１】
0003893279.tif 000002
【図２】
0003893279.tif 000003
【図３】
0003893279.tif 000004
【図４】
0003893279.tif 000005
【図５】
0003893279.tif 000006